(57)【要約】      （修正有）【課題】メガネを装用者の鼻の適正位置に保持させるノーズパッドとメガネ本体との間に介在しているパッド足には異なるタイプのものがあり、その調整において専用の工具を用いることなく、１つの工具で便利に対応できるパッド足調整工具を提供する。【解決手段】ペンチ形のパッド足調整工具であって、パッド足を挟み込む挟持部２の挟持面５に、パッド足のノーズパッド取付枠がはまり込む溝１８を形成すると共に、溝の一部にパッドボックスの蝶芯固定ねじの先端部分と頭部が収容される貫通孔１９を設けた。【選択図】図６
0003223800.tif 000002
【実用新案登録請求の範囲】
【請求項１】
前方側に挟持部を、後方側に握持部をそれぞれ備えた一対の構成片が、中間部に設けられた回転軸によってＸ字形に結合され、回転軸を支点として握持部の開閉によって挟持部の対向した挟持面の開閉を操作するペンチ形のパッド足調整工具であって、挟持部の対向した接合面に、調整対象であるパッド足のノーズパッド取付枠がはまり込む溝がそれぞれ長手方向に沿って形成されていると共に、この溝の前方寄りの位置に、別の調整対象であるパット足のパッドボックスの蝶芯固定ねじの先端部分及び頭部が収容される貫通孔が形成されていることを特徴とするパッド足調整工具。
【考案の詳細な説明】
【技術分野】
【０００１】
この考案はメガネの構成部品であるパッド足の調整に用いる工具に関するものである。
【背景技術】
【０００２】
パッド足はノーズパッドを装用者の鼻の適正位置に保持される機能を担うメガネの重要な構成部品であり、メガネを購入する際には、装用者の顔面に合う様に、このパッド足の取付角度や位置を調整する必要がある。
【先行技術文献】
【特許文献】
【０００３】
【特許文献１】なし
【非特許文献】
【０００４】
【非特許文献１】なし
【考案の概要】
【考案が解決しようとする課題】
【０００５】
装用者の鼻に接するノーズパッド６は、図１乃至図３に示す様に、その裏面中央に設けられた蝶芯７がパッド足１０先端のパッドボックス８に差し込まれ、パッドボックス８の両側壁を貫く固定ねじ９によってパッドボックス８に固定されており、パッド足１０の取付角度や位置の調整する作業は、パッドボックス８をその両側面からペンチ状の工具で強く挟み込んだ状態で行われている。
【０００６】
この際、パッドボックス８の左右側面には図３に示す様に、蝶芯７を固定する為の固定ねじ９の頭部１１及び先端部分１２が露出しているので、通常のペンチで強く挟み込むと、この左右に露出している固定ねじ９の頭部１１と先端部分１２とを潰してしまうおそれがある為、固定ねじ９の頭部１１と先端部分１２とに過大な荷重がかからない様にした専用工具を用いてパッド足１０の調整が行われている。
【０００７】
一方、近年は、上述の様なパッドボックス８にノーズパッド６の蝶芯７を差し込んで、ノーズパッド６をパッド足１０に取り付けるタイプではなく、図４及び図５に示す様に、ノーズパッド１３の裏面側に凸起部１４を設け、その周縁１５を外側から取付枠１６で挟み込む様にしたパッド足１７が用いられつつあるが、この図４に示すタイプのパッド足１７の場合、図１に示す様な従来タイプのパッド足調整用の工具では対応出来ず、取付枠１６をその外側から挟み込める様にした専用の工具を必要をした。
【０００８】
従って、メガネの販売現場では、図１に示すパッドボックス８にノーズパッド６の蝶芯７を差し込むタイプのパッド足１０用と、図４に示すノーズパッド１３の裏面側の凸起部１４を取付枠１６で挟み込むタイプのパッド足１７用の工具を予め別々に用意しておかなければならず、大変面倒であった。
【０００９】
メガネの販売現場では、視力検査用やメガネ調整用に多くの機材を必要としており、スタッフはこれら大量の機材に囲まれた状態で作業をせざるを得なかったが、工具類は可能な限りその数は少ない方が作業がしやすくなることは明らかであり、一つの工具で複数の異なったタイプの調整対象物に対応出来ることが望ましいが、現状ではなかなかその要請には応えられていなかった。
【００１０】
本考案者は、メガネのパッド足の調整作業の際に用いる工具に関する上記問題点を解決せんとして、鋭意研究を行った結果、図１に示す様な裏面に蝶芯７を有するタイプのノーズパッド６を取付けるパッド足１０だけではなく、図４に示す様な裏面に凸起部１４を設け、その周縁１５を取付枠１６で挟み込んで固定するタイプのパッド足１７の調整にも用いることが出来る汎用性に富む便利なパッド足調整工具を開発することに成功し、本考案としてここに提案するものである。
【課題を解決するための手段】
【００１１】
前方側に挟持部を、後方側に握持部をそれぞれ備えた一対の構成片が、中間部に設けられた回転軸によってＸ字形に結合され、回転軸を支点として握持部の開閉によって挟持部の対向した挟持面の開閉を操作するペンチ形のパッド足調整工具において、挟持部の対向した接合面に、調整対象であるパッド足のノーズパッド取付枠がはまり込む溝をそれぞれ長手方向に沿って形成すると共に、この溝の前方寄りの位置に、別の調整対象であるパッド足のパッドボックスの蝶芯固定ねじの先端部分及び頭部が収容される貫通孔を形成することにより、上記課題を解決した。
【考案の効果】
【００１２】
蝶芯をパッドボックスに差し込んで固定ねじによってノーズパッドを固定するタイプのパッド足の取付角度や位置を調整しようとするときは、固定ねじの頭部と先端部分が挟持部の貫通孔に収容される様にして挟持面でパッドボックスをその両面から強く挟み込んだ状態で調整作業を行う。
この際、固定ねじの頭部と先端部分は貫通孔に収容されるので、パッドボックスを強く挟み込んだとしても、頭部と先端部分とが潰されることはなく、円滑に作業を行うことが出来る。
【００１３】
一方、ノーズパッドの裏面側に凸起部を設け、その周縁を外側から取付枠で挟み込むタイプのパッド足の調整を行う際には、挟持面に形成されている溝に取付枠がはまり込む様にして、この取付枠をその両側から強く挟持し、この状態でパッド足の取付角度や位置の調整作業を行う。
【００１４】
この調整作業の際の力は、取付枠を介してパッド足に直接伝わるので、ノーズパッドに無理な力が掛かることなく、パッド足の取付角度や位置の調整を円滑に行うことが出来る。
【００１５】
この様に、このパッド足調整工具は、裏面に蝶芯が形成されたタイプのノーズパッドを用いたパッド足だけではなく、取付枠によってノーズパッドを固定するタイプのパッド足の調整も併せて行うことが可能で、汎用性にすぐれ、メガネ販売の際のパッド足の調整作業の効率を向上させる効果を有する。
【図面の簡単な説明】
【００１６】
【図１】従来から存在する裏面に蝶芯が形成されたタイプのノーズパッドの斜視図。
【図２】同じく、これをパッド足に固定した状態の斜視図。
【図３】同じく、裏面側から見たその側面図。
【図４】ノーズパッドの裏面に固定用の凸起部を形成したタイプのノーズパッドの斜視図。
【図５】同じく、これをパッド足に固定した状況の斜視図。
【図６】この考案に係るパッド足調整工具の実施例１の一部を切欠いて描いた平面図。
【図７】同じく、その要部である挟持部の拡大縦断面図。
【図８】同じく、図７における矢視Ａ−Ａ縦断面図。
【図９】この考案に係るパッド足調整工具を用いて、図１に示すタイプのノーズパッドを固定してパッド足の調整作業を行っている状況の部分拡大説明図。
【図１０】同じく、図４に示すタイプのノーズパッドを固定してパッド足の調整作業を行っている状況の部分拡大説明図。
【図１１】同じく、図１０に示す作業状況の拡大斜視図。
【考案を実施するための形態】
【００１７】
ペンチ形のパッド足調整工具において、パッド足を挟み込む挟持部の挟持面に、パッド足のノーズパッド取付枠がはまり込む溝を形成すると共に、この溝の一部にパッドボックスの蝶芯固定ねじの先端部分と頭部とが収容される貫通孔を設けた点に最大の特徴が存する。
【実施例】
【００１８】
図６において、１はこの考案に係るパッド足調整工具を構成する一対の金属製の構成片であり、この構成片１は前方側に挟持部２が、後方側に握持部３がそれぞれ備えられており、その中間部に設けられた回転軸によってＸ字形に結合され、この回転軸を支点として握持部３の開閉によって挟持部２の対向した挟持面５の開閉を行う様になっている。なお、上記構成は、一般的なペンチ型の工具と基本的に同じである。
【００１９】
そして、挟持部２の挟持面５には、図７及び図８に示す様に、その長手方向軸芯に沿って、調整対象であるパッド足１７の取付枠１６がはまり込む円弧状の溝１８が形成されている。この溝１８の幅は取付枠１６の外径と、その深さは取付枠１６の半径とそれぞれほぼ等しい寸法となっている。
【００２０】
更に、この溝１８の前方寄りの位置には、もう一つの調整対象であるパッド足１０，つまり、図１に示す様に、蝶芯７をパッドボックス８に差し込んで固定ねじ９によってノーズパッド６を固定しようとするタイプのパッド足１０において、パッドボックス８の両側にはみ出している蝶芯７の固定ねじ９の先端部分１２と頭部１１が収容される貫通孔１９が形成されている。
【００２１】
この実施例は上述の通りの構成を有するものであり、図１に示す様な蝶芯７をパッドボックス８に差し込んで固定ねじ９によってノーズパッド６を固定するタイプのパッド足１０の取付角度や位置を調整をしようとするときは、図９に示す様に、固定ねじ９の頭部１１と先端部分１２が挟持部５の貫通孔１９に収容される様にして挟持面５でパッドボックス８をその両面から強く挟み込んだ状態で調整作業を行う。
この際、固定ねじ９の頭部１１と先端部分１２は貫通孔１９に収容されるので、パッドボックス８を強く挟み込んだとしても、頭部１１と先端部分１２とが潰されることはなく、円滑に作業を行うことが出来る。
【００２２】
一方、図４に示す様に、ノーズパッド１３の裏面側に凸起部１４を設け、その周縁１５を外側から取付枠１６で弾性的に挟み込むタイプのパッド足１７の調整を行う際には、図１０及び図１１に示す様に、挟持面５に形成されている溝１８に取付枠１６がはまり込む様にして、この取付枠１６をその両側から強く挟持し、この状態でパッド足１７の取付角度や位置の調整作業を行う。
【００２３】
この調整作業の際の力は、取付枠１６を介してパッド足１７に直接伝わるので、ノーズパッド１３に無理な力が掛かることなく、パッド足１７の取付角度や位置の調整を円滑に行うことが出来る。
【００２４】
この様に、このパッド足調整工具は、裏面に蝶芯が形成されたタイプのノーズパッドを用いたパッド足だけではなく、取付枠によってノーズパッドを固定するタイプのパッド足の調整も併せて行うことが可能で、汎用性にすぐれ、メガネ販売の際のパッド足の調整作業の効率を向上させる効果を有する。
【産業上の利用可能性】
【００２５】
メガネの小売店はもちろん、メガネ業界一般において大いに利用価値がある。
【符号の説明】
【００２６】
１．構成片
２．挟持部
３．握持部
５．挟持面
６．ノーズパッド
７．蝶芯
８．パッドボックス
９．固定ねじ
１０．パッド足
１１．頭部
１２．先端部分
１３．ノーズパッド
１４．凸起部
１５．周縁
１６．取付枠
１７．パッド足
１８．溝
１９．貫通孔
【図１】
0003223800.tif 000003
【図２】
0003223800.tif 000004
【図３】
0003223800.tif 000005
【図４】
0003223800.tif 000006
【図５】
0003223800.tif 000007
【図６】
0003223800.tif 000008
【図７】
0003223800.tif 000009
【図８】
0003223800.tif 000010
【図９】
0003223800.tif 000011
【図１０】
0003223800.tif 000012
【図１１】
0003223800.tif 000013